(57)【特許請求の範囲】
【請求項１】
複数の白鍵又は複数の黒鍵をそれぞれ有し、前記複数の白鍵又は複数の黒鍵の後端を白鍵及び黒鍵の配列方向に延設された長尺状の連結部でそれぞれ連結して一体的に形成した複数の鍵ユニットを備え、鍵フレームへの組付け状態における前記複数の鍵ユニットの連結部の高さを鍵ユニットごとに異ならせておき、前記複数の鍵ユニットの連結部をそれぞれ前記鍵フレーム上に重ねて載置して前記複数の鍵ユニットを前記鍵フレームに組付けるようにした鍵盤装置であって、
前記複数の鍵ユニットのうちの一つの鍵ユニットの連結部に、上下方向に延設されて端部に係止用爪を設けた、前記一つの鍵ユニットの連結部の幅内に収まるフック部を設け、    前記複数の鍵ユニットのうちの前記一つの鍵ユニット以外の他の鍵ユニットの連結部に、前記フック部に対応する位置にて上下に貫通する貫通孔を設け、かつ
前記鍵フレームに、前記フック部に対応する位置にて上下に貫通する貫通孔を設け、
前記フック部を、前記他の鍵ユニットの連結部に設けた貫通孔及び前記鍵フレームに設けた貫通孔に貫通させて、前記係止用爪を用いて前記複数の鍵ユニットの連結部を前記鍵フレーム上に固定するようにした鍵盤装置において、
前記一つの鍵ユニットの連結部に、前記係止用爪と上下方向において対向する貫通孔を設けたことを特徴とする鍵盤装置。
【請求項２】
複数の白鍵又は複数の黒鍵をそれぞれ有し、前記複数の白鍵又は複数の黒鍵の後端を白鍵及び黒鍵の配列方向に延設された長尺状の連結部でそれぞれ連結して一体的に形成した複数の鍵ユニットを備え、鍵フレームへの組付け状態における前記複数の鍵ユニットの連結部の高さを鍵ユニットごとに異ならせておき、前記複数の鍵ユニットの連結部をそれぞれ前記鍵フレーム上に重ねて載置して前記複数の鍵ユニットを前記鍵フレームに組付けるようにした鍵盤装置であって、
前記複数の鍵ユニットのうちの一つの鍵ユニットの連結部に、上下方向に延設されて端部に係止用爪を設けた、前記一つの鍵ユニットの連結部の幅内に収まるフック部を設け、    前記複数の鍵ユニットのうちの前記一つの鍵ユニット以外の他の鍵ユニットの連結部に、前記フック部に対応する位置にて上下に貫通する貫通孔を設け、かつ
前記鍵フレームに、前記フック部に対応する位置にて上下に貫通する貫通孔を設け、
前記フック部を、前記他の鍵ユニットの連結部に設けた貫通孔及び前記鍵フレームに設けた貫通孔に貫通させて、前記係止用爪を用いて前記複数の鍵ユニットの連結部を前記鍵フレーム上に固定するようにした鍵盤装置において、
前記フック部の側面に端部に向かって幅狭となる勾配を設け、
前記他の鍵ユニットの連結部の貫通孔の前記フック部の側面に対向する幅を、前記他の鍵ユニットの連結部の貫通孔に対向する前記フック部の側面の幅よりも大きくし、
前記鍵フレームの貫通孔の前記フック部の側面に対向する幅を、前記鍵フレームの貫通孔に対向する前記フック部の側面の幅よりも大きくし、かつ
前記他の鍵ユニットの連結部の貫通孔及び前記鍵フレームの貫通孔の前記フック部の側面に対向する幅を、前記フック部の端部に近づくほど小さくしたことを特徴とする鍵盤装置。
【請求項３】
前記一つの鍵ユニットは、前記複数の鍵ユニットのうちの前記鍵フレームへの組付け状態にて連結部が最上段に位置する鍵ユニットであり、
前記フック部は、前記一つの鍵ユニットの連結部の下面から下方に突出し、
前記係止用爪は、前記フック部の下端部にて水平方向に突出し、
前記フック部を前記他の鍵ユニットの連結部に設けた貫通孔及び前記鍵フレームに設けた貫通孔に上方から貫通させて、前記係止用爪を前記鍵フレームの下面に係止させるようにした請求項１又は２に記載の鍵盤装置。
【請求項４】
前記一つの鍵ユニットは、前記複数の鍵ユニットのうちの前記鍵フレームへの組付け状態にて連結部が最上段よりも下方に位置する鍵ユニットであり、
前記フック部は、前記一つの鍵ユニットの連結部の下面から下方に突出するとともに、下端部に水平方向に突出させた第１係止用爪を設けた第１フック部と、前記一つの鍵ユニットの連結部の上面から上方に突出するとともに、上端部に水平方向に突出させた第２係止用爪を設けた第２フック部とからなり、
前記第１フック部を前記鍵フレームに設けた貫通孔に上方から貫通させ、又は前記一つの鍵ユニットの連結部よりも下方に位置する前記他の鍵ユニットの連結部に設けた貫通孔及び前記鍵フレームに設けた貫通孔に上方から貫通させて、前記第１係止用爪を前記鍵フレームの下面に係止させ、かつ前記第２フック部を、前記一つの鍵ユニットの連結部よりも上方に位置する前記他の鍵ユニットの連結部に設けた貫通孔に下方から貫通させて、前記第２係止用爪を最上段に位置する連結部の上面に係止させるようにした請求項１又は２に記載の鍵盤装置。
【発明の詳細な説明】
【技術分野】
【０００１】
本発明は、複数の白鍵又は複数の黒鍵をそれぞれ有する複数の鍵ユニットを鍵フレームに組付けて構成した鍵盤装置に関する。
【背景技術】
【０００２】
従来から、複数の白鍵又は複数の黒鍵をそれぞれ有し、複数の白鍵及び黒鍵の後端を白鍵及び黒鍵の配列方向に延設された長尺状の連結部でそれぞれ連結して一体的に形成した複数の鍵ユニットを備え、鍵フレームへの組付け状態における連結部の高さを鍵ユニットごとに異ならせておき、複数の鍵ユニットの連結部をそれぞれ鍵フレーム上に重ねて載置して複数の鍵ユニットを鍵フレームに組付けるようにした鍵盤装置はよく知られている。この鍵盤装置においては、例えば、下記特許文献１に示されているように、連結部の後端面に各組ごとに白鍵及び黒鍵の配列方向の位置を異ならせて後端面から後側に突出させるとともに下方に延設させて、下端部に前方に突出させた係止用爪を有するフック部を設けるようにしている。そして、複数の鍵ユニットの連結部を鍵フレームの後端部の上面に重ねて載置するとともに、各鍵ユニットのフック部の係止用爪を鍵フレームの下面にそれぞれ係止させて、複数の鍵ユニットを鍵フレーム上に組付けるようにしている。
【先行技術文献】
【特許文献】
【０００３】
【特許文献１】実開平３−１００８９３号公報
【発明の概要】
【０００４】
しかし、上記従来の鍵盤装置においては、フック部が連結部の後端面から後方に突出しているために、各鍵ユニットの後端部の前後方向の長さが長くなり、鍵ユニットの前後方向の寸法が大きくなるという問題があった。
【０００５】
本発明は、このような問題に対処するためになされたもので、その目的は、複数の鍵ユニットの前後方向の寸法を小さくするようにした鍵盤装置を提供することにある。なお、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【０００６】
第１の発明は、複数の白鍵（２１，３１）又は複数の黒鍵（４１）をそれぞれ有し、複数の白鍵又は複数の黒鍵の後端を白鍵及び黒鍵の配列方向に延設された長尺状の連結部（２３，３３，４３）でそれぞれ連結して一体的に形成した複数の鍵ユニット（２０，３０，４０）を備え、鍵フレーム（１０，１３）への組付け状態における複数の鍵ユニットの連結部の高さを鍵ユニットごとに異ならせておき、複数の鍵ユニットの連結部をそれぞれ鍵フレーム上に重ねて載置して複数の鍵ユニットを鍵フレームに組付けるようにした鍵盤装置であって、複数の鍵ユニットのうちの一つの鍵ユニットの連結部に、上下方向に延設されて端部に係止用爪（４４ａ，３４ａ，３５ａ）を設けた、前記一つの鍵ユニットの連結部の幅内に収まるフック部（４４，３４，３５）を設け、複数の鍵ユニットのうちの前記一つの鍵ユニット以外の他の鍵ユニットの連結部に、フック部に対応する位置にて上下に貫通する貫通孔（２３ａ，３３ａ，４３ａ）を設け、かつ鍵フレームに、フック部に対応する位置にて上下に貫通する貫通孔（１３ａ）を設け、フック部を、前記他の鍵ユニットの連結部に設けた貫通孔及び鍵フレームに設けた貫通孔に貫通させて、係止用爪を用いて複数の鍵ユニットの連結部を鍵フレーム上に固定するようにした鍵盤装置において、前記一つの鍵ユニットの連結部に、係止用爪と上下方向において対向する貫通孔（４３ａ，３３ａ）を設けたことにある。
【０００７】
上記のように構成した第１の発明に係る鍵盤装置においては、一つの鍵ユニットの連結部に設けたフック部を、他の鍵ユニットの連結部に設けた貫通孔及び鍵フレームに設けた貫通孔に貫通させて、係止用爪を用いて複数の鍵ユニットの連結部を鍵フレーム上に固定するだけで、複数の鍵ユニットは鍵フレームに組付けられる。したがって、第１の発明によれば、複数の鍵ユニットを簡単に鍵フレームに組付けることができる。また、複数の鍵ユニットを鍵フレームに組付けるためのフック部は、連結部の幅内に収まるように構成されているので、複数の鍵ユニットの後端部の幅を小さくでき、鍵ユニットの前後方向の寸法を小さくすることができる。これによれば、鍵ユニットの製造コストを下げることができるとともに、この鍵ユニットの前後方向の寸法を小さくしたことによるスペースを鍵盤装置における他の構造及び部品のために有効に利用できるようになる。さらに、第１の発明においては、鍵ユニットの連結部には係止用爪と上下方向において対向する貫通孔が設けられているので、フック部を有する鍵ユニットを一体的に形成する際には、複雑な金型を用いることなく、上下一対の金型を用いるだけで、フック部を有する鍵ユニットを簡単に一体成型できる。なお、金型を用いて成形したフック部を切欠いて係止用爪を形成することも可能である。この場合には、切欠き時に連結部に屈曲が生じて、隣接した白鍵及び黒鍵の高さ、白鍵及び黒鍵間の隙間にばらつきが生じることもあるが、この第１の発明によれば、前記ばらつきの問題も生じない。
【０００８】
第２の発明は、複数の白鍵（２１，３１）又は複数の黒鍵（４１）をそれぞれ有し、複数の白鍵又は複数の黒鍵の後端を白鍵及び黒鍵の配列方向に延設された長尺状の連結部（２３，３３，４３）でそれぞれ連結して一体的に形成した複数の鍵ユニット（２０，３０，４０）を備え、鍵フレーム（１０，１３）への組付け状態における複数の鍵ユニットの連結部の高さを鍵ユニットごとに異ならせておき、複数の鍵ユニットの連結部をそれぞれ鍵フレーム上に重ねて載置して複数の鍵ユニットを鍵フレームに組付けるようにした鍵盤装置であって、複数の鍵ユニットのうちの一つの鍵ユニットの連結部に、上下方向に延設されて端部に係止用爪（４４ａ，３４ａ，３５ａ）を設けた、前記一つの鍵ユニットの連結部の幅内に収まるフック部（４４，３４，３５）を設け、複数の鍵ユニットのうちの前記一つの鍵ユニット以外の他の鍵ユニットの連結部に、フック部に対応する位置にて上下に貫通する貫通孔（２３ａ，３３ａ，４３ａ）を設け、かつ鍵フレームに、フック部に対応する位置にて上下に貫通する貫通孔（１３ａ）を設け、フック部を、前記他の鍵ユニットの連結部に設けた貫通孔及び鍵フレームに設けた貫通孔に貫通させて、係止用爪を用いて複数の鍵ユニットの連結部を鍵フレーム上に固定するようにした鍵盤装置において、フック部の側面に端部に向かって幅狭となる勾配を設け、前記他の鍵ユニットの連結部の貫通孔のフック部の側面に対向する幅を、前記他の鍵ユニットの連結部の貫通孔に対向するフック部の側面の幅よりも大きくし、鍵フレームの貫通孔のフック部の側面に対向する幅を、鍵フレームの貫通孔に対向するフック部の側面の幅よりも大きくし、かつ前記他の鍵ユニットの連結部の貫通孔及び鍵フレームの貫通孔のフック部の側面に対向する幅を、フック部の端部に近づくほど小さくしたことにある。
【０００９】
上記のように構成した第２の発明に係る鍵盤装置においても、上記第１の発明の場合と同様に、一つの鍵ユニットの連結部に設けたフック部を、他の鍵ユニットの連結部に設けた貫通孔及び鍵フレームに設けた貫通孔に貫通させて、係止用爪を用いて複数の鍵ユニットの連結部を鍵フレーム上に固定するだけで、複数の鍵ユニットは鍵フレームに組付けられる。したがって、第２の発明によっても、複数の鍵ユニットを簡単に鍵フレームに組付けることができる。また、複数の鍵ユニットを鍵フレームに組付けるためのフック部は、連結部の幅内に収まるように構成されているので、複数の鍵ユニットの後端部の幅を小さくでき、鍵ユニットの前後方向の寸法を小さくすることができる。これによれば、鍵ユニットの製造コストを下げることができるとともに、この鍵ユニットの前後方向の寸法を小さくしたことによるスペースを鍵盤装置における他の構造及び部品のために有効に利用できるようになる。さらに、第２の発明においては、フック部の側面と、連結部及び鍵フレームに設けた貫通孔の間の隙間がフック部の端部に近づくほど小さくなり、複数の鍵ユニットを鍵フレームに組付ける際に、フック部がガイド機能を発揮して、複数の鍵ユニットの鍵フレームへの組付けが簡単かつ良好に行われる。
【００１０】
上記第１及び第２の発明においては、例えば、前記一つの鍵ユニットは、複数の鍵ユニットのうちの鍵フレームへの組付け状態にて連結部が最上段に位置する鍵ユニット（４０）であり、フック部（４３）は、前記一つの鍵ユニットの連結部の下面から下方に突出し、係止用爪（４３ａ）は、フック部の下端部にて水平方向に突出し、フック部を前記他の鍵ユニットの連結部に設けた貫通孔及び鍵フレームに設けた貫通孔に上方から貫通させて、係止用爪を鍵フレームの下面に係止させるようにするとよい。
【００１１】
また、前記一つの鍵ユニットは、複数の鍵ユニットのうちの鍵フレームへの組付け状態にて連結部が最上段よりも下方に位置する鍵ユニット（３０）であり、フック部は、前記一つの鍵ユニットの連結部の下面から下方に突出するとともに、下端部に水平方向に突出させた第１係止用爪（３４ａ）を設けた第１フック部（３４）と、前記一つの鍵ユニットの連結部の上面から上方に突出するとともに、上端部に水平方向に突出させた第２係止用爪（３５ａ）を設けた第２フック部（３５）とからなり、第１フック部を鍵フレームに設けた貫通孔に上方から貫通させ、又は前記一つの鍵ユニットの連結部よりも下方に位置する前記他の鍵ユニットの連結部に設けた貫通孔及び鍵フレームに設けた貫通孔に上方から貫通させて、第１係止用爪を鍵フレームの下面に係止させ、かつ第２フック部を、前記一つの鍵ユニットの連結部よりも上方に位置する前記他の鍵ユニットの連結部に設けた貫通孔に下方から貫通させて、第２係止用爪を最上段に位置する連結部の上面に係止させるようにしてもよい。
【００１２】
複数の鍵ユニットは、例えば、複数の白鍵（２１）を有する第１鍵ユニット（２０）と、第１鍵ユニットとは異なる複数の白鍵（３１）を有する第２鍵ユニット（３０）と、複数の黒鍵（４１）を有する第３鍵ユニット（４０）とからなる１オクターブ当たり３つの鍵ユニットである。
【図面の簡単な説明】
【００１３】
【図１】本発明の一実施形態に係る１オクターブ分の鍵を含む鍵盤装置の概略斜視図である。
【図２】図１の鍵盤装置の平面図である。
【図３】図１の鍵盤装置の正面図である。
【図４】図２のＡ−Ａ線に沿って見た鍵盤装置の拡大端面図である。
【図５】図２のＢ部の拡大図である。
【図６】（Ａ）は図１乃至図４の第１鍵ユニットの平面図であり、（Ｂ）は前記第１鍵ユニットの正面図であり、（Ｃ）は前記第１鍵ユニットの側面図である。
【図７】（Ａ）は図１乃至図４の第２鍵ユニットの平面図であり、（Ｂ）は前記第２鍵ユニットの正面図であり、（Ｃ）は前記第２鍵ユニットの側面図である。
【図８】（Ａ）は図１乃至図４の第３鍵ユニットの平面図であり、（Ｂ）は前記第３鍵ユニットの正面図であり、（Ｃ）は前記第３鍵ユニットの側面図である。
【図９】第１乃至第３鍵ユニットの鍵フレームに対する組付けを説明するための鍵盤装置の分解斜視図である。
【図１０】前記実施形態の変形例に係る鍵盤装置の前記図４に対応する端面図である。
【図１１】前記実施形態の他の変形例に係る鍵盤装置の前記図４に対応する端面図である。
【発明を実施するための形態】
【００１４】
以下、本発明の一実施形態について図面を用いて説明する。図１は本実施形態に係る１オクターブ分の鍵を含む鍵盤装置の概略斜視図であり、図２は前記鍵盤装置の平面図であり、図３は前記鍵盤装置の正面図である。図４は、図２のＡ−Ａ線に沿って見た鍵盤装置の拡大端面図であり、図５は図２のＢ部の拡大図である。なお、本明細書においては、演奏者側（図１の左下側及び図２の下側）を鍵盤装置の前方とし、演奏者と反対側（図１の右上側及び図２の上側）を鍵盤装置の後方とする。そして、演奏者の左右方向（図１の左上から右下方向及び図２の左右方向）を鍵盤装置の左右方向とする。
【００１５】
鍵盤装置は、鍵盤の下方にて、鍵盤楽器内に固定された鍵フレーム１０を有する。鍵フレーム１０は、前方にて左右及び前後方向に水平に延設された平板状の下段壁１１と、下段壁１１の後端にて上方に立設された平板状の立面壁１２と、立面壁１２の上端にて後方に所定幅だけ水平に延設されるとともに左右方向に長尺状かつ平板状の上段壁１３とを備えている。これらの下段壁１１、立面壁１２及び上段壁１３は、金属、樹脂などにより一体的に形成されている。上段壁１３には、適宜箇所にて、詳しくは後述する上面から下面に連通する直方体形状の貫通孔１３ａが、その前後の内面を上段壁１３の前後両端面に平行にして形成されている。上段壁１３上には、樹脂によりそれぞれ一体成形した第１乃至第３鍵ユニット２０，３０，４０がその後端部にて載置されている。また、上段壁１３の適宜箇所には、図示しない固定用ねじを螺合させて第１乃至第３鍵ユニット２０，３０，４０を堅固に固定するために、内周面に雌ねじを形成した上面から下面に連通する円形のねじ孔１３ｂも設けられている。なお、これに代えて、ねじ孔１３ｂとしては内面に雌ねじを有しない単なる円柱状の孔が利用され、円柱状の孔にタップネジを螺合させるセルフタップねじ方式により、第１乃至第３鍵ユニット２０，３０，４０を上段壁１３に堅固に固定するようにしてもよい。
【００１６】
まず、第１鍵ユニット２０について、図６（Ａ）の平面図、図６（Ｂ）の正面図及び図６（Ｃ）の側面図を用いて説明する。第１鍵ユニット２０は、音名Ｃ，Ｅ，Ｇ，Ｂにそれぞれ対応して互いに隣接していない４つの白鍵２１を有する。白鍵２１は、上壁、前壁、側壁及び後壁からなり、内部を下方に開口させた方形状の空間を形成している。ただし、この上壁、前壁、側壁及び後壁の板厚による内側面を示す破線は、図４、図１０及び図１１以外の図面においては省略されている。上壁及び側壁には、黒鍵４１のスペースを確保するために段部が設けられている。白鍵２１の前後方向の中央位置より若干だけ前方の下面には、垂直下方に突出して下端面を鍵フレーム１０の下段壁１１の上面に対向させた突出部２１ａが設けられている。この突出部２１ａは、白鍵２１の押鍵時に、下段壁１１の上面に設けた図示しないガイド部材により白鍵２１の下方への変位をガイドする部分として機能する。
【００１７】
これらの４つの白鍵２１の後壁は、ヒンジ２２を介して連結部２３にそれぞれ接続されている。ヒンジ２２及び連結部２３は、白鍵２１と一体成形されている。ヒンジ２２は、白鍵２１の後端部の横幅に等しい横幅を有し、上下方向に弾性変形し易いように薄肉で方形かつ平板状に構成されていて、その前端を白鍵２１の後壁に接続させて後方に延設されている。なお、ヒンジ２２の横幅は、必ずしも白鍵２１の後端部の横幅に等しくなくてもよく、白鍵２１の後端部の横幅よりも狭くてもよいし、後述する隣接した白鍵３１及び黒鍵４１のヒンジ３２，４２と重ならない程度に白鍵２１の後端部の横幅よりも広くてもよい。この点に関しては、白鍵３１及び黒鍵４１のヒンジ３２，４２に関しても同様である。ヒンジ２２は、その下面を白鍵２１の後壁の下端よりも若干だけ上方に位置させ、その上面を白鍵２１の後壁の上端よりも下方に位置させている。そして、ヒンジ２２は白鍵２１の押鍵時に弾性変形して、白鍵２１の前端部の下方への変位を許容し、白鍵２１の離鍵時には弾性力や図示しない他部材（接点ゴム等のばね成分）の復帰力により白鍵２１の前端部を上方へ変位させて白鍵２１を離鍵位置に復帰させる。
【００１８】
連結部２３は、縦断面を長方形状にして横方向に長尺状の部材であり、前面にてヒンジ２２の後端を接続させている。連結部２３は変形し難いように比較的厚く構成されており、その上下方向の厚さはヒンジの上下方向の厚さに比べて大きい。また、連結部２３の前後幅は、鍵フレーム１０の上段壁１３の前後幅に等しい。連結部２３は、その下面を白鍵２１の下面と同じ高さに位置させるとともにヒンジ２２の下面よりも下方に位置させ、かつその上面を白鍵２１の上面よりも下方に位置させるとともにヒンジ２２の上面よりも若干だけ上方に位置させている。連結部２３には、適宜箇所（本実施形態では左右方向ほぼ中央位置）にて、上面から下面に連通する直方体形状の貫通孔２３ａが、その前後の内面を連結部２３の前後両端面と平行にして形成されている。また、連結部２３の前記ねじ孔１３ｂに対応する箇所には、前記固定用ねじを貫通させるための上面から下面に連通する円形の貫通孔２３ｂも設けられている。なお、鍵フレーム１０に組付けた状態における第１鍵ユニット２０に関する上下方向の位置及び貫通孔２３ａの寸法については詳しく後述する。
【００１９】
次に、第２鍵ユニット３０について、図７（Ａ）の平面図、図７（Ｂ）の正面図及び図７（Ｃ）の側面図を用いて説明する。第２鍵ユニット３０は、音名Ｄ，Ｆ，Ａにそれぞれ対応して互いに隣接していない３つの白鍵３１を有する。白鍵３１も、上壁、前壁、側壁及び後壁からなり、内部を下方に開口させた方形状の空間を形成している。白鍵３１の前後方向の長さ及び高さは白鍵２１の場合と同じである。ただし、上壁及び側壁に設けた黒鍵４１のスペースを確保するために段部は白鍵２１の場合とは異なる。白鍵３１の下面にも、白鍵２１の突出部２１ａと同一の形状及び機能を有する突出部３１ａが設けられている。
【００２０】
これらの３つの白鍵３１の後壁は、ヒンジ３２を介して連結部３３にそれぞれ接続されている。ヒンジ３２及び連結部３３もヒンジ２２及び連結部２３とそれぞれ同様に構成され、連結部３３は、上面から下面に連通する直方体形状の貫通孔３３ａを、その前後の内面を連結部３３の前後両端面と平行にして有するとともに、貫通孔２３ｂと同様な貫通孔３３ｂを有する。ヒンジ３２及び連結部３３の上下方向の厚さは、ヒンジ２２及び連結部２３の上下方向の厚さとそれぞれ同じである。ただし、この場合には、ヒンジ３２は、その下面を白鍵３１の下面よりも上方に位置させ、その上面を白鍵３１の上面よりも若干だけ下方に位置させている。また、連結部３３は、その下面を白鍵３１の下面よりも上方に位置させるとともにヒンジ３２の下面と同一高さに位置させ、かつその上面を白鍵３１の上面よりも若干だけ上方に位置させるとともにヒンジ３２の上面よりも上方に位置させている。なお、鍵フレーム１０に組付けた状態における第２鍵ユニット３０に関する上下方向の位置及び貫通孔３３ａの寸法については詳しく後述する。
【００２１】
次に、第３鍵ユニット４０について、図８（Ａ）の平面図、図８（Ｂ）の正面図及び図８（Ｃ）の側面図を用いて説明する。  第３鍵ユニット２０は、音名Ｃ＃，Ｄ＃，Ｆ＃，Ｇ＃，Ａ＃にそれぞれ対応して互いに隣接していない５つの黒鍵４１を有する。黒鍵４１も、上壁、前壁、側壁及び後壁からなり、内部を下方に開口させた方形状の空間を形成している。ただし、黒鍵４１の前後方向の長さは白鍵２１，３１の前後方向の長さよりも短く、黒鍵４１の高さは白鍵２１，３１の高さよりも高い。また、黒鍵４１の前壁は、下方に向かって前方に位置するように傾斜している。黒鍵４１の下面にも、白鍵２１，３１の突出部２１ａ，３１ａと同一の形状及び機能を有する突出部４１ａが設けられているが、黒鍵４１の突出部４１ａは白鍵２１，３１の突出部２１ａ，３１ａよりも若干後方に位置する。
【００２２】
これらの５つの黒鍵４１の後壁は、ヒンジ４２を介して連結部４３にそれぞれ接続されている。ヒンジ４２及び連結部４３もヒンジ２２，３２及び連結部２３，３３とそれぞれ同様に構成され、連結部４３は、上面から下面に連通する直方体形状の貫通孔４３ａを、その前後の内面を連結部４３の前後両端面と平行にして有するとともに、貫通孔２３ｂと同様な貫通孔４３ｂを有する。ヒンジ４２及び連結部４３の上下方向の厚さも、ヒンジ２２，３２及び連結部２３，３３の上下方向の厚さとそれぞれ同じである。ただし、ヒンジ４２は、その下面を黒鍵４１の下面よりも上方に位置させ、かつその上面を黒鍵４１の上面よりも下方に位置させている。また、連結部は、その下面を黒鍵４１の下面よりも上方に位置させるとともにヒンジ４２の下面と同一高さに位置させ、その上面を黒鍵４１の上面よりも若干だけ下方に位置させるとともに、ヒンジ４２の上面よりも上方に位置させている。なお、鍵フレーム１０に組付けた状態における第３鍵ユニット４０に関する上下方向の位置及び貫通孔４３ａの寸法については詳しく後述する。
【００２３】
また、連結部４３の下面には、連結部４３の左右方向の中央位置かつ連結部４３の後端面から前方に離れた貫通孔４３ａの後ろの外側から下方に突出したフック部４４が設けられている。フック部４４は、第２鍵ユニット３０の貫通孔３３ａ、第１鍵ユニット２０の貫通孔２３ａ及び鍵フレーム１０の貫通孔１３ａを上方から下方へ貫通させて、第１乃至第３鍵ユニット２０，３０，４０を鍵フレーム１０に組付ける部材である。フック部４４は、その横断面形状を左右方向に長尺状の長方形とし、その左右両側面を下方に向かうに従って幅狭とし、その正面視を台形状としている。フック部４４の前面は、貫通孔４３ａの後側の内面と同一の垂直平面上にある。なお、フック部４４の前面は、必ずしも貫通孔４３ａの後側の内面と同一の垂直平面上になくてもよい。このフック部４４の前後方向の厚さは薄く、フック部４４は、前後方向に弾性変形するように構成されていて、下端を前後方向に変位可能としている。
【００２４】
フック部４４の前面の下端部には、縦断面形状を３角形とする前方に突出させた係止用爪４４ａが設けられている。係止用爪４４ａは、フック部４４を、第２鍵ユニット３０の貫通孔３３ａ、第１鍵ユニット２０の貫通孔２３ａ及び鍵フレーム１０の貫通孔１３ａを上方から下方へ貫通させた状態で、鍵フレーム１０の上段壁１３の下面に係止されて、第１乃至第３鍵ユニット２０，３０，４０を鍵フレーム１０に組付けるものである。連結部４３の下面から係止用爪４４ａの上面までの長さは、鍵フレーム１０の上段壁１３の厚さと、第１鍵ユニット２０の連結部２３の厚さと、第２鍵ユニット３０の連結部３３の厚さとの合計長さに等しい。係止用爪４４ａのフック部４４の前面よりも前方に突出した上面は水平である。また、係止用爪４４ａの前後方向の幅は貫通孔４３ａの前後方向幅よりも小さい、すなわち係止用爪４４ａは貫通孔４３ａの一部と上下方向において対向する。なお、係止用爪４４ａの寸法についてはさらに詳しく後述する。
【００２５】
このように構成した第１乃至第３鍵ユニット２０，３０，４０の鍵フレーム１０への組付け工程及び組付け後の鍵盤装置の全体構成について、前記図１乃至図５に加えて図９を用いて説明する。第１乃至第３鍵ユニット２０，３０，４０の鍵フレーム１０への組付けにおいては、図９に示すように、鍵フレーム１０の上段壁１３上に、前後方向及び左右方向の位置を合わせながら、第１鍵ユニット２０の連結部２３、第２鍵ユニット３０の連結部３３及び第３鍵ユニット４０の連結部４３を順次重ねていく。第３鍵ユニット４０の連結部４３を第２鍵ユニット３０の連結部３３上に載せる際には、フック部４４を第２鍵ユニット３０の貫通孔３３ａ、第１鍵ユニット２０の貫通孔２３ａ及び鍵フレーム１０の貫通孔１３ａに下方へ侵入させていく。このとき、フック部４４の下部は後方に変形しながら下方へ侵入していく。
【００２６】
フック部４４を下方へさらに侵入させると、フック部４４の下端部に設けた係止用爪４４ａの前端の突起が鍵フレーム１０の貫通孔１３ａの前端下面を乗り越えて、係止用爪４４ａの上面が貫通孔１３ａの前端部近傍の上段壁１３の下面に当接して係止される。この状態が、第１乃至第３鍵ユニット２０，３０，４０の鍵フレーム１０への組付け状態であり、第１乃至第３鍵ユニット２０，３０，４０は鍵フレーム１０に固定される。この組付け状態では、特に図４に示すように、第１鍵ユニット２０の連結部２３の下面が鍵フレーム１０の上段壁１３の上面に当接し、第２鍵ユニット３０の連結部３３の下面が第１鍵ユニット２０の連結部２３の上面に当接し、かつ第３鍵ユニット４０の連結部４３の下面が第２鍵ユニット３０の連結部３３の上面に当接する。そして、前記説明した第１乃至第３鍵ユニット１０，２０，３０のヒンジ２２，３２，４２及び連結部２３，３３，４３の上下方向の位置の設定により、白鍵２１，３１及び黒鍵４１、並びにヒンジ２２，３２，４２は水平に保たれるとともに、白鍵２１，３１の上面の高さは同じとなり、黒鍵４１の上面は白鍵２１，３１の上面よりも上方に位置する。
【００２７】
次に、鍵フレーム１０の貫通孔１３ａ、第１鍵ユニット２０の貫通孔２３ａ、第２鍵ユニット３０の貫通孔３３ａ及び第３鍵ユニット４０のフック部４４の寸法について具体的に説明しておく。特に、図５に示すように、貫通孔１３ａ、貫通孔２３ａ及び貫通孔３３ａは、その前後方向の幅を同じにして、所定距離ずつこの順に前方に位置する。なお、貫通孔２３ａ及び貫通孔３３ａの前後方向の幅は、必ずしも同じでなくてもよい。フック部４４の下方に延びた延設部の前面すなわち貫通孔４３ａの後面からの係止用爪４４ａの前方への突出長さは貫通孔１３ａ，２３ａ，３３ａの前後方向のずらし量である前記所定距離の約３倍であり、係止用爪４４ａの前端は貫通孔３３ａの前面とほぼ一致する。したがって、フック部４４の下方に延びた延設部の前面は、貫通孔１３ａの前面との間に前記所定距離だけ隙間を空け、貫通孔２３ａの前面との間に前記所定距離の２倍だけ隙間を空け、かつ貫通孔３３ａの前面との間に前記所定距離の３倍だけ隙間を空けている。そして、係止用爪４４ａの上面は、貫通孔１３ａの前側の上段壁１３の下面に前後方向に前記所定距離の２倍の距離に渡って当接している。なお、これらのフック部４４の前面と貫通孔１３ａ，２３ａ，３３ａとの隙間の距離及び係止用爪４４ａの上面と上段壁１３の下面との当接距離は、前記例示に代えて種々に変更できる。
【００２８】
また、特に図３に示すように、貫通孔１３ａ、貫通孔２３ａ及び貫通孔３３ａは、それらの左右方向の中心位置を同じにして、その左右方向の幅を所定距離ずつ大きくしている。第３鍵ユニット４０に設けた貫通孔４３ａの左右方向の中心位置は貫通孔１３ａ、貫通孔２３ａ及び貫通孔３３ａの左右方向の中心位置と同じであるが、貫通孔４３ａの左右方向の幅は貫通孔３３ａの左右方向の幅よりも大きい。貫通孔４３ａの後面と前面を一致させているフック部４４の下方への延設部は、貫通孔１３ａ，２３ａ，３３ａ，４３ａの左右方向の中心に対して左右方向に対称に形成されている。そして、フック部４４は、その上端の左右方向の幅を貫通孔３３ａよりも若干小さくし、かつその下端の左右方向の幅を貫通孔１３ａより小さくするようにフック部４４の左右側面に傾斜をもたせて、前述のように正面視で台形状に形成されている。この下方へ向かうに従って小さくなるフック部４４の左右方向の幅においては、貫通孔３３ａと対向する位置の最大幅が貫通孔３３ａの左右方向の幅よりも小さく、貫通孔２３ａと対向する位置の最大幅が貫通孔２３ａの左右方向の幅よりも小さく、かつ貫通孔１３ａと対向する位置の最大幅が貫通孔１３ａの左右方向の幅よりも小さい。しかし、これらの最大幅を、貫通孔３３ａ，２３ａ，１３ａの左右方向の幅に近く設定するとよい。
【００２９】
したがって、フック部４４を貫通孔３３ａ，２３ａ，１３ａ内に上方から侵入させて貫通させることができる。また、この侵入時には、フック部４４が貫通孔３３ａ，２３ａ，１３ａと共働してガイド機能を果たすので、第３鍵ユニット３０の鍵フレーム１０に対する組付けが簡単に行われるとともに、第１乃至第３鍵ユニット１０，２０，３０の鍵フレーム１０に対する左右方向の位置決めを良好にする。特に、前記最大幅を、貫通孔３３ａ，２３ａ，１３ａの左右方向の幅に近づけるほど、前記位置決め精度が良好となる。
【００３０】
このようにして第１乃至第３鍵ユニット２０，３０，４０を鍵フレーム１０に組付けたのち、図示しない固定用ねじを、第３鍵ユニット４０、第２鍵ユニット３０及び第１鍵ユニット２０の連結部４３，３３，２３に設けた貫通孔４３ｂ，３３ｂ，２３ｂにこの順に上方から貫通させて、鍵フレーム１０の上段壁１３に設けたねじ孔１３ｂに螺合させる。これにより、第１乃至第３鍵ユニット２０，３０，４０が鍵フレーム１０に堅固に固定されて、鍵盤装置が完成する。
【００３１】
上記のように構成した実施形態においては、第３鍵ユニット４０の連結部４３に設けたフック部４４を、第２及び第１鍵ユニット３０，２０の連結部３３，２３に設けた貫通孔３３ａ，２３ａ及び鍵フレーム１０の上段壁１３に設けた貫通孔１３ａに上方から貫通させた後、上段壁１３の下面にフック部４４に設けた係止用爪４４ａを係止させるだけで、第１乃至第３鍵ユニット２０，３０，４０は鍵フレーム１０に組付けられる。したがって、上記実施形態によれば、第１乃至第３鍵ユニット２０，３０，４０を簡単に鍵フレーム１０に組付けることができる。また、第１乃至第３鍵ユニット２０，３０，４０を鍵フレーム１０に組付けるためのフック部４４は、連結部４３の前後方向の幅内に収まるように構成されているので、第１乃至第３鍵ユニット２０，３０，４０の後端部の幅を小さくできて、第１乃至第３鍵ユニット２０，３０，４０の前後方向の寸法を小さくすることができる。その結果、上記実施形態によれば、第１乃至第３鍵ユニット２０，３０，４０の製造コストを下げることができるとともに、この第１乃至第３鍵ユニット２０，３０，４０の前後方向の寸法を小さくしたことによるスペースを鍵盤装置における他の構造及び部品のために有効に利用できるようになる。
【００３２】
また、上記実施形態においては、フック部４４を有する第３鍵ユニット４０の連結部４３に、係止用爪４４ａと上下方向において対向する貫通孔４３ａを設けた。したがって、第３鍵ユニット４０を一体的に形成する際には、複雑な金型を用いることなく、上下一対の金型を用いるだけで、第３鍵ユニット４０を簡単に一体成型できる。また、上記実施形態においては、フック部４４の左右側面に下方に向かって幅狭となる勾配を設け、第２鍵ユニット３０の連結部３３に設けた貫通孔３３ａの左右方向の幅、第１鍵ユニット２０の連結部２３に設けた貫通孔２３ａの左右方向の幅、及び鍵フレーム１０の上段壁１３に設けた貫通孔１３ａの左右方向の幅を、フック部４４の貫通孔３３ａ，２３ａ，１３ａに対向する左右側面よりも大きく、かつこの順に小さくなるようにした。すなわち、貫通孔３３ａ，２３ａ，１３ａのフック部４４の側面に対向する幅を、フック部４４の端部に近づくほど小さくした。そして、フック部４４の側面と、貫通孔３３ａ，２３ａ，１３ａの間の隙間がなるべく小さくなるようにした。第１乃至第３鍵ユニット１０，２０，３０を鍵フレーム１０に組付ける際に、フック部４４がガイド機能を発揮するので、第１乃至第３鍵ユニット１０，２０，３０を鍵フレーム１０に簡単かつ良好に組付けることができる。
【００３３】
なお、本発明に係る鍵盤装置は、上記実施形態に限定されるものではなく、適宜変更して実施することが可能である。
【００３４】
上記実施形態では、第３鍵ユニット４０の連結部４３に設けた貫通孔４３ａの後側にフック部４４を設けるとともに、フック部４４の前面の下端部に前方に突出した係止用爪４４ａを設けて、フック部４４を貫通孔３３ａ，２３ａ，１３ａを貫通させた後に、係止用爪４４ａを鍵フレーム１０の上段壁１３の下面に貫通孔１３ａの前方にて係止させるようにした。しかし、これに代えて、第３鍵ユニット４０の連結部４３に設けた貫通孔４３ａの前側にフック部４４を設けるとともに、フック部４４の後面の下端部に後方に突出した係止用爪４４ａを設けて、フック部４４を貫通孔３３ａ，２３ａ，１３ａを貫通させた後に、係止用爪４４ａを鍵フレーム１０の上段壁１３の下面に貫通孔１３ａの後方にて係止させるようにしてもよい。
【００３５】
具体的には、図４に対応させた図１０の端面図に示すように、第３鍵ユニット４０の連結部４３の下面に、連結部４３の左右方向の中央位置かつ連結部４３の前端面から後方に離れた貫通孔４３ａの手前外側から下方に突出したフック部４４が設けられている。フック部４４は、上記実施形態の場合と同様に、第２鍵ユニット３０の貫通孔３３ａ、第１鍵ユニット２０の貫通孔２３ａ及び鍵フレーム１０の貫通孔１３ａを上方から下方へ貫通している。ただし、この変形例においては、フック部４４の後面が、貫通孔４３ａの前側の内面と同一の垂直平面上にある。なお、フック部４４の後面は、必ずしも貫通孔４３ａの前側の内面と同一の垂直平面上になくてもよい。フック部４４の後面の下端部には、縦断面形状を３角形とするとともに上面を平面とする後方に突出させた係止用爪４４ａが設けられている。係止用爪４４ａの前後方向の幅は、この変形例においても、貫通孔４３ａの前後方向幅よりも小さい、すなわち係止用爪４４ａは貫通孔４３ａの一部と上下方向において対向する。そして、この変形例においては、係止用爪４４ａの上面は、貫通孔１３ａの後方位置にて上段壁１３の下面に当接して係止され、第１乃至第３鍵ユニット２０，３０，４０が鍵フレーム１０に組付けられる。
【００３６】
また、この変形例においても、鍵フレーム１０の上段壁１３及び第１乃至第３鍵ユニット２０，３０、４０の連結部２３，３３，４３には、上記実施形態の場合と同様な直方体状の貫通孔１３ａ，２３ａ，３３ａ，４３ａが設けられている。ただし、この変形例においては、貫通孔１３ａ，２３ａ，３３ａは所定距離ずつこの順に前方に位置し、貫通孔４３ａは、フック部４４の後方に位置する。そして、フック部４４の下方に延びた延設部の後面は、貫通孔１３ａの後面との間に前記所定距離だけ隙間を空け、貫通孔２３ａの後面との間に前記所定距離の２倍だけ隙間を空け、かつ貫通孔３３ａの後面との間に前記所定距離の３倍だけ隙間を空けている。そして、係止用爪４４ａの上面は、貫通孔１３ａの後側の上段壁１３の下面に前後方向に前記所定距離の２倍の距離に渡って当接している。なお、これらのフック部４４の後面と貫通孔１３ａ，２３ａ，３３ａとの隙間の距離及び係止用爪４４ａの上面と上段壁１３の下面との当接距離は、前記例示に代えて種々に変更できる。他の構成は、上記実施形態と同じであるので、上記実施形態と同一符号を付してその説明を省略する。
【００３７】
そして、この変形例においては、係止用爪４４ａが上記実施形態とは逆向きであるが、係止用爪４４ａを含むフック部４４、貫通孔１３ａを有する上段壁１３、及び貫通孔２３ａ，３３ａ，４３ａを有する連結部２３，３３，４３は上記実施形態の場合と同様に機能する。したがって、この変形例においても、上記実施形態と同様な効果が得られる。
【００３８】
上記実施形態及び変形例においては、鍵フレーム１０の上段壁１３、第１及び第２鍵ユニット２０，３０の連結部２３，３３にそれぞれ設けた貫通孔１３ａ，２３ａ，３３ａを直方体形状に構成して、それらの前後内面及び左右内側面を垂直に延設されるようにした。しかし、これに代えて、前記前後内面及び左右内側面を下方に向かうに従って内側に傾斜させて、貫通孔１３ａ，２３ａ，３３ａの内部空間が下方に向かうに従って幅狭となるようにしてもよい。特に、貫通孔３３ａ，２３ａ，１３ａの左右幅をこの順に短くしたうえで、貫通孔３３ａ，２３ａ，１３ａの各左右内側面を下方に向かうに従って内側に傾斜させることにより、フック部４４を貫通孔３３ａ，２３ａ，１３ａに上方から侵入させ易くなり、フック部４４の貫通孔３３ａ，２３ａ，１３ａと共働したガイド機能がより良好となる。
【００３９】
また、上記実施形態においては、フック部４４の前側面と貫通孔３３ａ，２３ａ，１３ａの前側内面との間には若干の隙間が設けられるようにした。また、上記変形例においては、フック部４４の後側面と貫通孔３３ａ，２３ａ，１３ａの後側内面との間には若干の隙間が設けられるようにした。しかし、これらに代えて、前記隙間をなくすようにしてもよい。すなわち、上記実施形態において、フック部４４の前側面と貫通孔３３ａ，２３ａ，１３ａの前側内面とが当接するようにしてもよい。また、上記変形例において、フック部４４の後側面と貫通孔３３ａ，２３ａ，１３ａの後側内面とが当接するようにしてもよい。  
【００４０】
また、上記実施形態及び変形例においては、鍵フレーム１０の上段壁１３の上面、第１及び第２鍵ユニット２０，３０の連結部２３，３３の上面及び下面、並びに第３鍵ユニット４０の連結部４３の下面を平坦に構成した。しかし、これに代えて、第１乃至第３鍵ユニット２０，３０，４０の連結部２３，３３，４３を鍵フレーム１３の上段壁１３上に載置する際の位置決めを容易にするために、前記上段壁１３の上面、前記連結部２３，３３の上面及び下面、並びに前記連結部４３の下面に位置決め用の凹部、凸部、切り込みなどを設けるようにしておいてもよい。
【００４１】
また、上記実施形態及び変形例においては、鍵フレーム１０の上段壁１３に、第１鍵ユニット２０の連結部２３、第２鍵ユニット３０の連結部３３及び第３鍵ユニット４０の連結部４３を、この順に上方へ載置するようにした。しかし、この連結部２３，３３，４３の載置の順は、いかなる組み合わせであってもよい。この場合、連結部２３，３３，４３の載置の順に従って、連結部２３，３３，４３の上下位置を上記実施形態及び変形例の場合と異ならせる必要がある。例えば、第１鍵ユニット２０の連結部２３の高さと第２鍵ユニット３０の連結部３３の高さとを逆にし、鍵フレーム１０の上段壁１３に、第２鍵ユニット３０の連結部３３、第１鍵ユニット２０の連結部２３及び第３鍵ユニット４０の連結部４３を、この順に上方へ載置するようにするようにしてもよい。この場合、連結部２３及び連結部３３に上記貫通孔３３ａ，２３ａと同様な貫通孔を設けるようにする。
【００４２】
さらに、上記実施形態及び変形例においては、最上段にある第３鍵ユニット４０の連結部４３にフック部４４を設けた。しかし、中段にある第２鍵ユニット３０にフック部を設けて、鍵フレーム１０の上段壁１３上に第１、第２及び第３鍵ユニット２０，３０，４０を組付けるようにしてもよい。
【００４３】
具体的には、図４に対応させた図１１の端面図に示すように、第２鍵ユニット３０の連結部３３の下面及び上面に、連結部３３の左右方向の中央位置かつ連結部３３の後端面から前方に離れた貫通孔３３ａの後外側から、下方及び上方にそれぞれ延設させた第１フック部３４及び第２フック部３５が設けられている。第１フック部３４は、第１鍵ユニット２０の貫通孔２３ａ及び鍵フレーム１０の貫通孔１３ａを上方から下方へ貫通している。第１フック部３４の前面の下端部には、縦断面形状を３角形とするとともに上面を平面とする前方に突出させた第１係止用爪３４ａが設けられている。第２フック部３５は、第３鍵ユニット２４の貫通孔４３ａを下方から上方へ貫通している。第２フック部３５の前面の上端部には、縦断面形状を３角形とするとともに下面を平面とする前方に突出させた係止用爪３５ａが設けられている。第１及び第２フック部３４，３５の前面は、貫通孔３３ａの後側の内面と同一の垂直平面上にある。なお、この場合も、第１及び第２フック部３４，３５の前面は、必ずしも貫通孔３３ａの後側の内面と同一の垂直平面上になくてもよい。第１及び第２係止用爪３４ａ，３５ａの前後方向の幅は、貫通孔３３ａの前後方向幅よりも小さい、すなわち第１及び第２係止用爪３４ａ，３５ａは貫通孔３３ａの一部と上下方向において対向する。そして、この変形例においては、第１係止用爪３４ａの上面は、貫通孔１３ａの前方位置にて上段壁１３の下面に当接して係止され、第２及び第３鍵ユニット２０，３０が鍵フレーム１０に組付けられる。第２係止用爪３５ａの下面は、貫通孔４３ａの前方位置にて連結部４３の上面に当接して係止され、第３鍵ユニット４０が第１及び第２鍵ユニット２０，３０並びに鍵フレーム１０に組付けられる。
【００４４】
また、この変形例においても、鍵フレーム１０の上段壁１３及び第１乃至第３鍵ユニット２０，３０、４０の連結部２３，３３，４３には、直方体状の貫通孔１３ａ，２３ａ，３３ａ，４３ａが設けられている。貫通孔１３ａ，２３ａ，３３ａはこの順に後方に位置するとともに、貫通孔４３ａは貫通孔３３ａの後方に位置し、貫通孔３３ａは第１及び第２フック部３４，３５の前方に位置する。そして、第１フック部３４の下方に延びた延設部の前面は、貫通孔１３ａの前面との間に所定距離だけ隙間を空け、貫通孔２３ａの前面との間に前記所定距離よりも大きな距離の隙間を空けている。第２フック部３５の下方に延びた延設部の前面は、貫通孔４３ａの前面との間に所定距離だけ隙間を空けている。そして、第１係止用爪３４ａの上面は貫通孔１３ａの前側の上段壁１３の下面に前後方向に所定距離に渡って当接し、第２係止用爪３５ａの下面は貫通孔４３ａの前側の連結部４３の上面に前後方向に所定距離に渡って当接している。
【００４５】
また、この変形例においても、フック部３４の左右側面に先端に向かって幅狭となる勾配を設け、第１鍵ユニット２０の連結部２３に設けた貫通孔２３ａの左右方向の幅及び鍵フレーム１０の上段壁１３に設けた貫通孔１３ａの左右方向の幅を、フック部３４の貫通孔２３ａ，１３ａに対向する左右方向の最大幅よりも大きく、かつこの順に小さくなるようにした。すなわち、貫通孔２３ａ，１３ａのフック部３４の側面に対向する幅を、フック部４４の端部に近づくほど小さくした。そして、フック部３４の側面と、貫通孔２３ａ，１３ａの間の隙間がなるべく小さくなるようにした。また、フック部３５の左右側面に先端に向かって幅狭となる勾配を設け、第３鍵ユニット４０の連結部４３に設けた貫通孔４３ａの左右方向の幅を、フック部３５の貫通孔４３ａに対向する左右方向の最大幅よりも大きくした。他の構成は、上記実施形態と同じであるので、上記実施形態と同一符号を付してその説明を省略する。
【００４６】
そして、この変形例においては、第１フック部３４を貫通孔２３ａ，１３ａにこの順に貫通させた後、第１係止用爪３４ａを上段壁１３の下面に係止させて、第１及び第２鍵ユニット２０，３０を上段壁１３上に固定する。その後、貫通孔４３ａに第２フック部３５を貫通させた後、第２係止用爪３５ａを連結部４３の上面に係止させて、第３鍵ユニット４０を第２鍵ユニット３０上に固定する。第１及び第２係止用爪３４ａ，３５ａを含む第１及び第２フック部３４，３５、貫通孔１３ａを有する上段壁１３、及び貫通孔２３ａ，４３ａを有する連結部２３，４３は上記実施形態の場合と同様に機能する。したがって、この変形例においても、上記実施形態と同様な効果が得られる。
【００４７】
なお、前記変形例では、第２鍵ユニット３０に第１及び第２フック部３４，３５を設けるようにしたが、これに代えて、第１鍵ユニット２０に前記変形例と同様な第１及び第２係止用爪を有する第１及び第２フック部を設けるようにしてもよい。この場合、第１フック部は、鍵フレーム１０の貫通孔１３ａを上方から下方へ貫通して、第１係止用爪が上段壁１３の下面に係止される。第２フック部は、第２及び第３鍵ユニット３０，４０の貫通孔３３ａ，４３ａを下方から上方へ貫通して、第２係止用爪が連結部４３の上面に係止される。
【００４８】
また、上記実施形態の変形例（図１０参照）のように、第２鍵ユニット３０の連結部３３の貫通孔３３ａの前側に第１及び第２フック部３３，３４を設けたり、第１鍵ユニット２０の連結部２３の貫通孔２３ａの前側に第１及び第２フック部３３，３４と同種の第１及び第２フック部を設けたりしてもよい。また、上記実施形態の変形として説明した貫通孔１３ａ，２３ａ，３３ａの形状及び大きさに関しても、この変形例にも適用される。さらに、この変形例においても、第１鍵ユニット２０の連結部２３、第２鍵ユニット３０の連結部３３及び第３鍵ユニット４０の連結部４３の鍵フレーム１０の上段壁１３上への載置の順に関しては、いかなる組み合わせであってもよい。
【符号の説明】
【００４９】
１０…鍵フレーム、１３…上段壁、１０，２０，３０…鍵ユニット、２１，３１…白鍵、４１…黒鍵、２３，３３，４３…連結部、１３ａ，２３ａ，３３ａ，４３ａ…貫通孔、３４，３５，４４…フック部、３４ａ，３５ａ，４４ａ…係止用爪
【図１】
0006405868.tif 000002
【図２】
0006405868.tif 000003
【図３】
0006405868.tif 000004
【図４】
0006405868.tif 000005
【図５】
0006405868.tif 000006
【図６】
0006405868.tif 000007
【図７】
0006405868.tif 000008
【図８】
0006405868.tif 000009
【図９】
0006405868.tif 000010
【図１０】
0006405868.tif 000011
【図１１】
0006405868.tif 000012